(57)【要約】 【課題】ストローに直接手を触れることなく容易に内容液を取り出すことができる衛生的なストロー包装体を提供することを目的とする。  【解決手段】ストロー包装体４は包装袋６の内部に先端側５ａと吸い口側５ｂからなるストロー５を密閉収容したストロー包装体４であって、前記包装袋６の長手方向の中間部における横断方向に易破断部１５が設けられる。この易破断部１５を境にして前記包装袋６が前記ストロー５の先端側部６ａと吸い口側部６ｂに区分されるとともに離脱防止手段１６（１６ａ、１６ｂ）を設ける。ストロー５はストロー孔１２から容器内部に脱落しないような長さが必要である。ストロー５は二重管にしてスライドにより外管１７と内管１８が伸縮自在な伸縮ストローとし容器の最長領域である側面７の対角線に仮接着される。【選択図】図１
2006298441.tif 000002
【特許請求の範囲】
【請求項１】
包装袋の内部に先端側と吸い口側からなるストローを密閉収容したストロー包装体であって、前記包装袋の長手方向の中間部における横断方向に易破断部が設けられ、
この易破断部を境にして前記包装袋が前記ストローの先端側部と吸い口側部に区分されるとともに少なくとも前記先端側部と前記吸い口側部のどちらか一方が前記ストローから容易に離脱することを防止する離脱防止手段を有することを特徴とするストロー包装体。
【請求項２】
請求項１に記載のストロー包装体であって、前記離脱防止手段が前記包装袋と前記ストロー間の溶融による仮接着であることを特徴とするストロー包装体。
【請求項３】
請求項１又は請求項２に記載のストロー包装体であって、前記収容されるストローは伸縮ストローであることを特徴とするストロー包装体。
【請求項４】
請求項１乃至請求項３のいずれか1項に記載のストロー包装体であって、前記ストロー包装体が液体食品容器にあらかじめ仮接着されていることを特徴とするストロー包装体。
【発明の詳細な説明】
【技術分野】
【０００１】
本発明は、液体食品容器用のストロー包装体の構造に関し、詳しくは、ストローを包装する包装体からストローを衛生的に取り出して使用できる技術に関する。
【背景技術】
【０００２】
従来、液体食品容器用のストロー包装体の構造に関しては様々な構成が知られている。例えば特許文献１には、図７に示すように紙基材からなる包材１を所定の形状に成形した液体食品容器２に牛乳やジュース等の液体飲料３（内容液）が封入されている。
【０００３】
そして、内容液３を飲用するためのストロー包装体４（ストロー５が包装袋６内に密封収容された状態）が液体食品容器２（以後適宜に容器と述べる）の側面７に仮接着されている。
【０００４】
ここで、ストロー５及び包装袋６は熱可塑性樹脂材が使用され、上下２枚のフイルム８の外周９を熱或いはグルーによりシールすることによりストロー５を密封収容するストロー包装体４が形成される。そして、ストロー包装体４は容器２に熱溶着又はグルーによって仮接着される。
【０００５】
容器２を使用する際には、包装袋６に形成された引き裂き用のタブ１０を引張って包装袋６を引き裂き、ストロー５を容器２の頂面１１に形成されたストロー孔１２に突き刺すことによって使用者が内容液３を吸い出して飲用することができる。
【０００６】
また、特許文献２においては、包装袋の一端部近傍の横方向にミシン目が形成されるので、このミシン目を切り裂いてストローを取り出す方法が開示されている。
【特許文献１】特開２００３−４０３３４号公報。
【特許文献２】特開２００２−２４０８７８号公報。
【発明の開示】
【発明が解決しようとする課題】
【０００７】
ところが、上記従来の方法によれば、いずれの場合でも、包装袋６を開封して内部のストロー５を取り出した後にストロー５を手（指）でもってストロー孔１２に突き刺して使用する必要があった。
【０００８】
このため、使用者の手が汚れている場合には、その手が触れたストロー部分が内溶液に接触することがあり衛生的でないという問題があった。
【０００９】
本発明は、このような従来のストロー包装体の問題点を解決して、ストローに直接手を触れることなく容易に内容液を取り出すことができる衛生的なストロー包装体を提供することを目的とする。
【課題を解決するための手段】
【００１０】
請求項１の発明は、包装袋の内部に先端側と吸い口側からなるストローを密閉収容したストロー包装体であって、前記包装袋の長手方向の中間部における横断方向に易破断部が設けられ、この易破断部を境にして前記包装袋が前記ストローの先端側部と吸い口側部に区分されるとともに少なくとも前記先端側部と前記吸い口側部のどちらか一方が前記ストローから容易に離脱することを防止する離脱防止手段を有することを特徴としている。
【００１１】
このストロー包装体であれば、前記離脱防止手段によって前記包装袋は前記ストローから容易に離脱しない（不用意には外れない）構成なので衛生性を確実に保つことができる。
【００１２】
使用者が易破断部を境にして前記包装袋を前記ストローの先端側部と吸い口側部に捻って破断分離した際でも離脱防止手段によって前記包装袋は前記ストローに固着させておくことができる。
【００１３】
そして、内容液を吸い出す直前で前記ストローから前記包装袋を取り除くことができる。
【００１４】
請求項２の発明は、請求項１に記載のストロー包装体であって、前記離脱防止手段が前記包装袋と前記ストロー間の溶融による仮接着であることを特徴としている。
【００１５】
このストロー包装体であれば、使用者が包装体の易破断部によって包装体を破断しても、内容液を吸い出す直前までストローと包装体は仮接着した状態をそのまま保持することができる。
【００１６】
請求項３の発明は、請求項１又は請求項２に記載のストロー包装体であって、前記収容されるストローは伸縮ストローであることを特徴としている。
【００１７】
このストロー包装体であれば、前記伸縮ストローを伸ばす動作によって、前記包装体は前記ストローに仮接着した状態を保ちながら、前記包装袋が前記前記易破断部から前記先端側部と前記吸い口側部にそれぞれ分離できる。
【００１８】
請求項４の発明は、請求項１乃至請求項３のいずれか1項に記載のストロー包装体であって、前記ストロー包装体が液体食品容器にあらかじめ仮接着されていることを特徴としている。
【００１９】
このストロー包装体であれば、液体食品容器にストローが取あらかじめ仮接着されているので使用者がその場で迅速にストローを使用することができる。
【発明の効果】
【００２０】
請求項１記載の発明によれば、使用者が直接ストローに触れることなく包装体の横断方向に設けられる易破断部によって包装体を容易に破断して内容液を取り出すことができるので衛生的である。
【００２１】
請求項２記載の発明によれば、ストローと包装体は仮接着の状態なので内容液を吸い出す直前で前記ストローから前記包装袋を容易に外して取り除くことができる。
【００２２】
このため、使用者が直接ストローに触れることなく使用できる衛生的なストロー包装体である。
【００２３】
請求項３記載の発明によれば、使用者が前記伸縮ストローを伸ばす動作によって、前記包装体は前記ストローに仮接着した状態を保ちながら前記包装袋が前記前記易破断部から前記先端側部と前記吸い口側部にそれぞれ自動的に離反するので、包装体の破断時に使用者が不用意にストローに触れることがないので衛生的である。
【００２４】
請求項４記載の発明によれば、液体食品容器にストロー包装体があらかじめ仮接着されているので、使用者がその場で迅速に衛生的にストロー（ストロー包装体）を使用することができる。
【発明を実施するための最良の形態】
【００２５】
以下、本発明の実施の形態について図1〜図６を用いて詳細に説明する。尚、図５に示した構成と同等部分には適宜に同一符号を付して説明する。
【００２６】
＜ストロー包装体の構成＞
図１、図２（ａ）に示すように、本発明のストロー包装体４は包装袋６の内部に先端側５ａと吸い口側５ｂからなるストロー５を密閉収容したストロー包装体４であって、前記包装袋６の長手方向の中間部における横断方向に易破断部１５が設けられる。
【００２７】
そして、この易破断部１５を境にして前記包装袋６が前記ストロー５に対する先端側部６ａと吸い口側部６ｂに区分されるとともに少なくとも前記先端側部６ａと前記吸い口側部６ｂのどちらか一方が前記ストロー５から容易に離脱することを防止する離脱防止手段１６を有している。なお、実施例においては離脱防止手段１６は先端側部６ａと吸い口側部６ｂの両方にそれぞれ離脱防止手段１６ａ、１６ｂが設けられる。
【００２８】
ストロー５は、容器２内の内容液を１００％確実に吸引できるように且つ、使用中にストロー５がストロー孔１２から容器内部に脱落しないような長さが必要である。ところが、ストロー５を取付ける容器２の側面７の広さには制限があるので、ストロー５を二重管に構成してスライドすることにより外管１７と内管１８が伸縮自在な伸縮ストローとし、ストロー５を縮めた状態で包装袋６に納めて容器の最長領域である側面７の対角線に沿って仮接着される。
【００２９】
ストロー５の材質はポリプロピレン等の熱可塑性樹脂が使用され、外管１７（例えば、直径Ｄ１＝６ｍｍ）と内管１８はスライドして引き伸ばしたときに脱落しないように、図示しないそれぞれのスライド端部が嵌合するように形成されている。
【００３０】
外管１７の先端は吸い口部１９であり内管１８の先端部２４はストロー孔１２に差し込みやすいように斜めに切断されて形成される。
【００３１】
ここで、上記のように、ストロー５は先端側５ａと吸い口側５ｂからなる伸縮ストローであるが、本実施例で述べる包装袋６の先端側部６ａと吸い口側部６ｂは易破断部１５を境にして両側に区分される全領域の総称であり、図１においては先端側部６ａと吸い口側部６ｂに設けられる離脱防止手段１６はストロー５の内管１８と外管１７上に設けられる。
【００３２】
好ましくは、先端側部６ａと吸い口側部６ｂには、使用者が識別しやすいように、異なった色彩、模様記号、文字等が付加される。
【００３３】
前記包装袋６は、ポリエチレン（ＰＥ）又はポリプロピレン（ＯＰＰ）の熱可塑性樹脂フイルムが用いられ、上下２枚のフイルム８をストロー５の周囲に沿うように横シール及び縦シールすることによりストロー５が密閉される。このとき、断面視で下フイルム８ａは平面状、上フイルム８ｂは半円形状になっている。
【００３４】
そして、図２（ｂ）に示すように包装袋６の易破断部１５における上下２枚の１５ａはフイルムの厚みを断続的に薄くすることで形成され、厚い箇所（フイルムの元の厚み）と薄い箇所とが交互に連続的に設けられる。
【００３５】
ミシン目１５ａの形成方法は、例えば図示しない連続凹凸形状のエンボスを機械的に押し付けて形成するか、或いは、ミシン目１５ａをさらに確実に形成するために加熱したエンボスが用いられる。
【００３６】
ストロー包装体４は長手方向の少なくとも２箇所で下フイルム８ａを介して容器２に仮接着される。このとき、下フイルム８ａがＯＰＰフイルムの場合はホットメルトが用いられ、ＰＥフイルムの場合は容器２の側面７にコートされたＰＥとストロー包装体４のＰＥフイルムとを熱加圧によるヒートシールで仮接着される。
【００３７】
図３に示すように、前記離脱防止手段１６は、図示しない過熱装置により前記包装袋６の外部から前記ストロー５を押し当てるようにスポット加熱して前記包装袋６と前記ストロー５が溶融することによりスポット仮接着する。
【００３８】
このときのスポット仮接着の状態は、使用される前記包装袋６と前記ストロー５の材料の溶融温度やそれぞれの厚さによって状態は異なるが、前記包装袋の厚みが前記ストロー５の厚みに比べて十分薄いので熱の影響をすばやく受けるため先に前記包装袋６が溶融して前記ストロー５に仮接着する。
【００３９】
このため、前記ストロー５はその形状に影響を及ぶほどの熱負荷を受けることはない。また、前記離脱防止手段１６によって前記包装袋６の密封性が損なわれることはない。
【００４０】
図４に示すように、容器２の包材１は容器２の外方から内方にかけて順に形成された、外側層２０、紙基材２１、内側層２２（仮接着層、バリヤ層、仮接着層及び最内層）を備える。
【００４１】
このとき、ストロー孔１２は予め紙基材２１をくりぬいたストロー用ホール２３（直径Ｄ２＝６ｍｍ）に外側層２２及び内側層２２を覆って容器２の頂面１１の所定位置に形成される。
【００４２】
ここで、ストロー用ホール２３（直径Ｄ２＝６ｍｍ）を外側層２０が廻り込むように覆うのでストロー孔１２の内径（直径Ｄ３）は外側層２０の厚さ２枚分小さくなるので、ストロー５の外管１７の直径Ｄ１よりも若干小さくＤ３＜（Ｄ１＝６ｍｍ）の関係である。
【００４３】
このため、ストロー５の外管１７（直径Ｄ１＝６ｍｍ）をストロー孔１２に挿入すると、ストロー５はストロー孔１２によって若干圧迫されながら挿入することができる。
【００４４】
包材１は、通常、外側層、仮接着層及び最内層はポリエチレン（ＰＥ）、エチレン共重合体等の樹脂によって形成されるが、外側層及び最内層は低密度ポリエチレン（ＬＤＰＥ）によって形成するのが好ましい。また、バリヤ層はアルミ箔（はく）等によって形成される。また、外側層の外側表面、又は紙基材の外側表面には必要に応じて所定の印刷が施される。
【００４５】
図５に示すように、内容液が充填された液体食品容器を製造する充填機において、包材１はリール２５の状態で充填機２６にセットされ図示しない繰出機によって充填機２６内に搬送される。包材１は搬送されながら連続的に図示しない装置でチューブ２７状に形成され、そのチューブ２７内に内容液３が充填管２８によって充填される。さらに、チューブ２７は、図示しない横シール装置において所定の間隔毎に横方向にシールされ、さらに図示しない切断装置によってチューブ２７が切断されて枕状の原型容器２９が分離形成される。そして、図示しない成形装置によって各原型容器２９が所定の形状に成形されて液体食品容器２が完成する。
【００４６】
最後に液体食品容器２に図示しないストロー取付け機によってストロー包装体４が仮接着される。
【００４７】
＜ストロー包装体の作用＞
図６（ａ）に示すように、包装袋６における易破断部１５にはその横断方向の全周に亘ってミシン目１５ａが設けられる。そして、前記包装袋６が前記ストロー５の前記外管１７と前記内管１８とに前記離脱防止手段１６ａ、１６ｂによってスポット仮接着されている。
【００４８】
図６（ｂ）に示すように、包装袋６を易破断部１５の両側において先端側部６ａと吸い口側部６ｂにそれぞれ引っ張るか捻ることにより、包装袋６は先端側部６ａと吸い口側部６ｂに容易に切り離すことができる。
【００４９】
このとき、包装袋６側に仮接着した状態の前記離脱防止手段１６ａ、１６ｂは前記ストロー５から外れない。
【００５０】
図６（ｃ）に示すように、前記ストロー５の両端部（外管１７の吸い口部１９と内管１８の先端部２４）を、前記包装袋６を介して、例えば指で挟み、内管１８を外管１７から矢印の方向に引出して前記ストロー５を伸ばす。
【００５１】
ここで、前記ストロー５の外管１７と内管１８は前記包装袋６の前記吸い口側部６ｂと前記先端側部６ａとそれぞれ仮接着しているので、前記ストロー５から前記包装袋６が離脱することがない。このため、唇に触れる前記ストロー５の吸い口部１９及び内容液と接触する先端部２４が前記包装袋６に覆われて衛生的に保護された状態を保つことができる。
【００５２】
そして、十分に内管１８を引出した後、前記離脱防止手段１６ａを例えば指で内管１８から外し、内管１８から前記包装袋６の前記先端側部６ａを取り除く。この状態で、前記ストロー５の外管１７の吸い口部１９側を前記包装袋６を介して、例えば指で把持して、裸状態の前記ストロー５の先端部２４を液体食品容器２のストロー孔１２に当てる。次いで、前記包装袋６を介して、前記ストロー５の外管１７の吸い口部１９側を指で持って前記ストロー５をストロー孔１２に差し込む。
【００５３】
このようにして、前記ストロー５に直接人が触れることなくストロー孔１２にストロー５を差込むことができる。その状態を図６（ｄ）に示す。
【００５４】
図６（ｄ）の段階で、前記吸い口側部６ｂの前記離脱防止手段１６ｂがまだ離脱せず前記包装袋６の前記吸い口側部６ｂと前記ストロー５が仮接着状態であるのを、前記先端側部６ａの外側から前記離脱防止手段１６ｂを片手の指で揉むように動作することによって離脱させることができる。そして、使用者が内容液を吸い出す際には、包装袋６の吸い口側部６ｂを取り払ってストロー５の吸い口部１９から内容液を吸い出すことができる。
【００５５】
ここで、上記のように、ストロー孔１２は予め紙基材２１をくりぬいたストロー用ホール２３に外側層２０及び内側層２２を覆って液体食品容器２の頂面３１の所定位置に形成され、ストロー５とストロー孔１２との間隙はほとんどなくストロー５はストロー孔１２によって若干圧迫される状態であるため、ストロー５はストロー孔１２との摩擦によって十分保持されるので包装袋６の吸い口側部６ｂをストロー５から抵抗無く軽く外すことができる。
【００５６】
このように、前記離脱防止手段１６ｂによって前記包装袋６は前記ストロー５から容易に外れない（不用意には外れない）構成なので、衛生性を確実に保つことができるストロー包装体であるとともに、前記包装袋６が易破断部１５で破断してストロー５が前記離脱防止手段１６ａから離脱して液体食品容器２に差し込まれるまでの一連の動作中に指がストロー５に触れることはないので衛生性に優れている。
【００５７】
さらに、内容液を吸いだす動作を中断するときには、再度、包装袋６の吸い口側部６ｂをストロー５の吸い口部１９に被せることができる。
【００５８】
このように、本実施例のストローであれば、ストローに直接手を触れることなく容易に内容液を取り出すことができて衛生的なストロー包装体を提供することができる。
【００５９】
さらに、ストロー５は２重管でなく１本管でも良く、３重管でも良い。１本管のストローにおいては、ストローを伸ばす動作が省略される以外は図６（ａ）（ｂ）（ｃ）（ｄ）とまったく同様にして使用者がストローに手を触れることなく容易に内容液を取り出すことができる。
【００６０】
以上、本発明の実施形態を図面に基づいて説明したが、上記の実施例はいずれも本発明の一例を示したものであり、本発明はこれらに限定されるべきでないということはいうまでもない。
【００６１】
例えば、ストロー５の易破断部１５は横断方向の全周にミシン目として厚い箇所と薄い箇所を交互に連続的に設けるかわりに、全周の厚みを均一に薄くした弱め線や熱（過熱）硬化による易破断部１５でもよい。
【００６２】
前記離脱防止手段１６は前記包装袋６と前記ストロー５間の溶融による仮接着以外に、前記包装袋６と前記ストロー５間に仮接着材や摩擦係数の高いもの、粘着材を介するスポット仮接着も可能である。この場合は、ストロー５を包装袋６に包装する工程中にスポット仮接着が実施される。
【００６３】
さらに、液体食品容器に取付けたストローだけでなく液体食品容器とは別体のストローについての適用も可能である。
【００６４】
また、実施例では（レンガ状）直方体形状の液体食品容器を例にして説明したが、その他、例えば６角柱状の液体食品容器、頂面および底面が４角形で胴体部が８角形の柱状液体食品容器等々色んな形状の液体食品容器に応用可能でありそれらを本発明から除外するものではない。
【図面の簡単な説明】
【００６５】
【図１】本発明の実施形態における、包装袋６の内部にストロー５を密閉収容したストロー包装体４が液体食品容器２に仮接着された状態を示す斜視図である。
【図２】本発明の実施形態における、（ａ）は図１におけるＡ−Ａ断面図、（ｂ）は図１におけるＢ−Ｂ断面図である。
【図３】本発明の実施形態における、図１におけるＣ−Ｃ断面図である。
【図４】本発明の実施形態における、図１におけるＤ−Ｄ断面図である。
【図５】本発明の実施形態における、ストロー包装体４が液体食品容器２に仮接着されるまでの製造工程を示す斜視図である。
【図６】本発明の実施形態における、（ａ）はストロー包装体を液体食品容器から取外した状態を示す側断面図、（ｂ）は易破断部を境にストロー袋を捻じ切る状態を示す側断面図、（ｃ）はストロー袋の先端側部と吸い口側部の外部からストローを保持しながらストローを引き伸ばす状態を示す側断面図、（ｄ）はストローの吸い口側からストロー袋の吸い口側部を取り払って液体食品容器のストロー孔に差し込んだ状態を示す斜視図である。
【図７】従来例における、液体食品容器にストロー包装体が仮接着された状態を示す斜視図である。
【符号の説明】
【００６６】
４  ストロー包装体
５  ストロー
５ａ  先端側
５ｂ  吸い口側
６  包装袋
６ａ  先端側部
６ｂ  吸い口側部
７  側面
１２  ストロー孔
１５  易破断部
１６（１６ａ、１６ｂ）  離脱防止手段
１７  外管
１８  内管
【図１】
2006298441.tif 000003
【図２】
2006298441.tif 000004
【図３】
2006298441.tif 000005
【図４】
2006298441.tif 000006
【図５】
2006298441.tif 000007
【図６】
2006298441.tif 000008
【図７】
2006298441.tif 000009